(57)【要約】  【課題】  ランドセルの背板に取付けた背環の揺動アームが移動する開口部に髪や洋服の襟などが挟まるのを防止する。  【解決手段】  左右対称に形成した係止部４と内側ガイド面部５を有した仕切壁３を形成し、該仕切壁の左右両側に設けた開口部９と周縁に設けた壁部１１との境に外側ガイド面部１２を形成した基板２と、前記基板２の表面を覆う薄手のカバー板１８と、胴部２１の左右両側にガイド袖部２４ａ、２４ｂを設け、該胴部の上端に背負ベルトの一端を取付ける連結部２５を設けると共に、前記基板２の支持筒１４に揺動可能に軸支した一対の揺動アーム２０を中央方向に付勢させるばね３０と、前記基板２の中央に設けた仕切壁３の表面中央に取付けた保持板３３の先端に枢動可能に軸支した吊下環３２とからなる。  【選択図】  図３
0003120057.tif 000002
【実用新案登録請求の範囲】
【請求項１】
左右対称に形成した係止部（４）に連続して設けた内側ガイド面部（５）を有する仕切壁（３）を中央上端に形成し、該仕切壁の左右両側にそれぞれ設けた開口部（９、９）と該開口部の他側に連続して周縁に設けた壁部（１１）の両端部にそれぞれ外側ガイド面部（１２）を形成した基板（２）と、
前記基板（２）の表面を覆う薄手のカバー板（１８）と、
前記内側ガイド面部（５）および外側ガイド面部（１２）にそれぞれ略接するガイド袖部（２４ａ、２４ｂ）を胴部（２１）の左右両側に設け、該胴部の上端に背負ベルトの一端を取付ける連結部（２５）を有すると共に、該胴部の下方を前記基板（２）の支持筒（１４）に揺動可能に軸支した、左右対称に形成した一対の揺動アーム（２０）と、
前記揺動アーム（２０）を互いに中央方向に付勢させるばね（３０）と、
前記基板（２）の中央に設けた仕切壁（３）の表面中央に取付けた保持板（３３）の先端に枢動可能に軸支した吊下環（３２）とからなることを特徴とするランドセル用背環。
【請求項２】
前記仕切壁（３）は、前記揺動アーム（２０）の胴部（２１）を係止する係止部（４）と、各係止部の下方に前記揺動アーム（２０）の内側のガイド袖部（２４ａ）と摺動する内面を湾曲させた内側ガイド面部（５）とをそれぞれ左右対称に連設したことを特徴とする請求項１記載のランドセル用背環。
【請求項３】
前記外側ガイド面部（１２）は、前記開口部（９、９）の外側端部を形成する壁部（１１）の両端部内面に、前記揺動アーム（２０）の外側のガイド袖部（２４ｂ）の上面と摺動可能な内面を湾曲させて形成したことを特徴とする請求項１記載のランドセル用背環。
【請求項４】
前記揺動アーム（２０）の胴部（２１）の両側に設けたガイド袖部（２４ａ）と、ガイド袖部（２４ｂ）および前記内側ガイド面部（５）と外側ガイド面部（１２）とは、それぞれ前記揺動アーム（２０）の揺動軌跡と略同一半径に形成したことを特徴とする請求項１ないし３のいずれか１記載のランドセル用背環。
【請求項５】
周縁に壁部（１１）を設けた基板（２）の上端にそれぞれ設けた開口部（９、９）の中央に、係止部（４）と内側ガイド面部（５）を連続してそれぞれ左右対称に形成し、中央上部に支持部（６）を有した仕切壁（３）を設け、前記開口部（９、９）の外側端部を形成する前記壁部（１１）の両端部の内面に外側ガイド面部（１２、１２）をそれぞれ形成し、前記基板（２）の左右対称位置に設けた支持筒（１４）に、前記内側ガイド面部（５）および外側ガイド面部（１２）とそれぞれ略当接して摺動するガイド袖部（２４ａ、２４ｂ）を胴部（２１）の左右両側に設け、同じく胴部（２１）の上端に背負ベルトの一端を取付ける連結部（２５）を有した一対の揺動アーム（２０）をそれぞれ揺動可能に軸支し、各揺動アーム（２０）をばね（３０）でそれぞれ中央方向に付勢し、前記揺動アーム（２０）の胴部（２１）の両側に設けた内側ガイド袖部（２４ａ）および外側ガイド袖部（２４ｂ）と、前記仕切壁（３）の内側ガイド面部（５）および外側ガイド面部（１２）の曲面を、前記揺動アーム（２０）の揺動軌跡と略同一半径に形成し、前記基板（２）の表面を薄手のカバー板（１８）で覆って設けたことを特徴とするランドセル用背環。
【考案の詳細な説明】
【技術分野】
【０００１】
本考案は、ランドセルの背板上端中央に位置し、背負ベルトの一端を連結する背環の改良に関する。
【背景技術】
【０００２】
従来、学童用ランドセルに取付けられている背負ベルトは、一端をランドセルの背板の上端中央に取付けた背環の連結アームに連結し、他端をランドセルの底面に一定間隔に設けた背負ベルト取付金具に取付けられている。
【０００３】
一方、ランドセルを背負う学童は、小学１年生から６年生までの６年間と長期間使用するのが通常であるが、その間に学童の成長は著しい。学童が成長して肩幅が広くなっても前記背負ベルトの上端が一定の間隔に取付けられた連結アームに連結してあると該背負ベルトの間の間隔が狭いままのため、低学年から高学年になるに従って学童の体格が大きくなると、ランドセルを背負ったり降ろしたりすることが窮屈となり面倒になるという問題点を有していた。
【０００４】
そのため、ランドセルは、学童の成長に合わせて背負ベルトの長さを調節可能に形成したり、背環に取付けた連結アームを揺動可能に形成したり、または、左右方向に移動させるように形成して支点の幅を広げてランドセル背負ったり、または、降ろしたりする動作を容易にできるようにした特許第３５２４５４７号や実用新案登録第３０５５２０５号などが知られている。
【特許文献１】特許第３５２４５４７号
【特許文献２】登録実用新案第３０５５２０５号
【０００５】
前記発明や考案に記述されている背環に取付けた揺動アームは、いずれも基板内に設けた支持軸の支点を半径方向に揺動させ、背負ベルトの一端を連結するための連結筒部を基板の上方に設けた開口部から上方（外方）に突出させてある。したがって、揺動アームが左右いずれかの方向に揺動すると、開口部の一部、つまり揺動アームが揺動した側と反対側の開口部に隙間が生じてしまう。
【０００６】
一方、学童、特に女子の場合は男子に比べて髪の毛の長い子が多く、ランドセルを背負っての歩行中に風の影響や、走ったときに髪の毛が揺れて前記背環に設けた開口部の隙間に髪の毛や洋服の襟の一部が挟まれやすい。髪の毛が前記開口部内に侵入して挟まったりした場合、基板とカバー板との間に設けた空室２ａ内に位置するばねや軸部などに絡まって外れなくなることがあるなどの問題点を有していた。
【考案の開示】
【考案が解決しようとする課題】
【０００７】
本考案が解決しようとする課題は、ランドセルを背負った登下校時において、背環の上端に設けた揺動アーム用の開口部に髪の毛や洋服の襟などが挟まれたりひっかかったりして体に苦痛を与えるのを防止し、安全に背負うことのできる安全なランドセルを提供することを目的とするものである。
【課題を解決するための手段】
【０００８】
上記課題を達成するために請求項１の考案は、左右対称に形成した係止部４に連続して設けた内側ガイド面部５を有する仕切壁３を中央上端に形成し、該仕切壁の左右両側にそれぞれ設けた開口部９、９と該開口部の他側に連続して周縁に設けた壁部１１の両端部にそれぞれ外側ガイド面部１２を形成した基板２と、前記基板２の表面を覆う薄手のカバー板１８と、前記内側ガイド面部５および外側ガイド面部１２にそれぞれ略接するガイド袖部２４ａ、２４ｂを胴部２１の左右両側に設け、該胴部の上端に背負ベルトの一端を取付ける連結部２５を有すると共に、該胴部の下方を前記基板２の支持筒１４に揺動可能に軸支した、左右対称に形成した一対の揺動アーム２０と、前記揺動アーム２０を互いに中央方向に付勢させるばね３０と、前記基板２の中央に設けた仕切壁３の表面中央に取付けた保持板３３の先端に枢動可能に軸支した吊下環３２とからなることを特徴とする。また、前記仕切壁３は、前記揺動アーム２０の胴部２１を係止する係止部４と、該係止部の下方に前記揺動アーム２０の内側のガイド袖部２４ａと摺動する内面を湾曲させた内側ガイド面部５とをそれぞれ左右対称に連設したことを特徴とする。さらに、前記外側ガイド面部１２は、前記開口部９、９の外側端を経緯製する壁部１１の両端部内面に、前記揺動アーム２０の外側のガイド袖部２４ｂの上面と摺動可能な内面を湾曲させて形成したことを特徴とする。さらにまた、前記揺動アーム２０の胴部２１の両側に設けたガイド袖部２４ａとガイド袖部２４ｂおよび前記内側ガイド面部５と外側ガイド面部１２とは、それぞれ前記揺動アーム２０の揺動軌跡と略同一半径に形成したことを特徴とする。
【０００９】
したがって、基板２の上部に設けた開口部９内に位置する揺動アーム２０が揺動した際に、揺動アーム２０の胴部２１両側に設けたガイド袖部２４ａおよびガイド袖部２４ｂが常に開口部９を閉口していることにより、学童の髪の毛や洋服の襟などが挟まるのを防止することができる。
【００１０】
請求項５の考案は、周縁に壁部１１を設けた基板２の上端にそれぞれの設けた開口部９、９の中央に、係止部４と内側ガイド面部５を連続してそれぞれ左右対称に形成し、中央上部に支持部６を有した仕切壁３を設け、前記開口部９、９の外側端を形成する前記壁部１１の両端部の内面に外側ガイド面部１２、１２を形成し、前記基板２の左右対称位置に設けた支持筒１４に、前記内側ガイド面部５および外側ガイド面部１２とそれぞれ略当接して摺動するガイド袖部２４ａ、２４ｂを胴部２１の左右両側に設け、同じく胴部２１の上端に背負ベルトの一端を取付ける連結部２５を有した揺動アーム２０をそれぞれ揺動可能に軸支し、各揺動アーム２０をばね３０でそれぞれ中央方向に付勢し、前記揺動アーム２０の胴部２１の両側に設けた内側ガイド袖部２４ａおよび外側ガイド袖部２４ｂと、前記仕切壁３の内側ガイド面部５および外側ガイド面部１２の曲面を、前記揺動アーム２０の揺動軌跡と略同一半径に形成し、前記基板２の表面を薄手のカバー板１８で覆って設けたことを特徴とするものである。
【００１１】
したがって、基板の上部に設けた開口部内を揺動アームが揺動する際、揺動アームの胴部両側に設けたガイド袖部によって常に開口部を閉口していることにより、学童の髪の毛や洋服の襟などが挟まるのを防止することができる。
【考案を実施するための最良の形態】
【００１２】
本考案の実施形態を図面に基づいて説明すると、図１はランドセルの背板に背環を取付けた使用状態を示す正面図、図２は背環の作動状態を示す正面図、図３は背環のカバー板を外した状態の正面図、図４は基板の正面図、図５は揺動アームの一部破断した正面図、図６は図２のＡ―Ａ断面図、図７は化粧板の正面図である。背環１は、金属材や合成樹脂材などにより形成した基板２と、該基板の表面を被う薄手の合成樹脂材などにより形成したカバー板１８と、前記基板２とカバー板１８との間に設けた空室２ａ内に揺動可能に収容して左右対称に形成した一対の揺動アーム２０と、前記空室２ａ内に揺動アーム２０をそれぞれ中央部方向に付勢するばね３０とにより構成してある。
【００１３】
前記基板２は、図４に示すごとく、中央上端に左右対称に形成した仕切壁３を設け、該仕切壁３の左右両側には前記揺動アーム２０の胴部２１を挿通させる開口部９，９をそれぞれ形成し、該仕切壁３と該開口部９の他側に連続して周縁全体、特に、両側及び下辺部に連続して壁部１１を一体に設けてある。即ち、基板２の周縁部分に於いて、上部中央に仕切壁3が位置し、その両側に開口部９、９が設けてあり、さらに、該開口部の他側と周縁下部とを連続して壁部１１を形成してある。この仕切壁３と壁部１１の上面、即ち、この基板の表面に取付けるカバー板１８と害基板２との間に空室２ａを設けてある。
【００１４】
前記仕切壁３は、前記揺動アーム２０の胴部２１の両外側端をそれぞれ係止させると共に開口部の一側端部を構成している係止部４と、該係止部４の下方で前記基板２の中心方向に湾曲させた内側ガイド面部５をそれぞれ連続して左右対称に形成してある。この仕切壁３の上端中央には吊下環３２を取付けるための支持部６を一連に突設し、該支持部６の正面中央にねじ孔７を設けてある。また、前記開口部の他側端部を構成して前記基板２の周縁に設けた壁部１１の端部内面には、肉厚で内面を湾曲させた外側ガイド面部１２を一体または別体に形成してある。この係止部４は基板の中央方向にばねで付勢させたい揺動アーム２０のストッパー機能を有している。さらに、この外側ガイド面部１２は、図示するように必ずしも厚肉状に突出させて形成する必要はなく、壁部１１の端部にその機能を具有させるように形成しても良いことはもちろんである。
【００１５】
図４に示すごとく、前記基板２の正面下方には、左右対称位置に前記揺動アーム２０を軸支する一対の支持筒１４と、該基板を背板５１に取付けるためのねじ孔１５と、揺動アーム２０を一方に付勢するばね３０の一端を係止するばね止部１６を任意個所にそれぞれ設けて、該ばねを止着するようにしてある。
【００１６】
前記基板２の上部に設けた開口部９、９の内側に位置し、且つ、前記係止部４の下方に連続してそれぞれ設けた内側ガイド面部５、５と、該開口部９、９の外側に位置させてそれぞれ設けた外側ガイド面部１２の曲面形状は、前記揺動アーム２０の両側に一体又は別体に設けたガイド袖部２４ａ、２４ｂが前記支持筒１４を中心にして左右に揺動する軌跡と略同一半径に形成し、該ガイド袖部の外表面と内側ガイド面部５および外側ガイド面部１２の内面とが常に略当接するように配して摺動可能に設けてある。
【００１７】
前記揺動アーム２０は、図５に示すごとく、上方をやや幅広の扇状に形成した胴部２１の下方に前記基板２の支持筒１４に揺動可能に軸支させる軸孔２２と、該軸孔の周縁に同心状にばね収容部２３を設けてある。前記仕切壁３の内側ガイド面部５と壁部１１の外側ガイド面部１２とにそれぞれ摺動可能に接するように配して湾曲させたガイド袖部２４ａ、２４ｂを胴部２１の中央両側に一体又は別体に形成してある。この胴部２１の上端には、前記背負ベルト５３の一端に取付けた連結片５４の一端を枢動可能に軸支する連結部２５を一体に設けてある。
【００１８】
この連結部２５は、該揺動アーム２０が左右方向に揺動した際、前記仕切壁３の前面に取付けた吊下環３２と衝突しないように上端外側（図６の右側）に突出して形成してある。さらに連結部２５の筒孔２６内に金属性の補強筒２７を挿通して、ランドセル５０の荷重で連結部２５の破損を防止するため補強してもよい。
【００１９】
前記ガイド袖部２４ａ、２４ｂの曲面形状は、図５に示すごとく、揺動アーム２０が揺動する軌跡と略同一半径に形成し、該ガイド袖部の外側表面と前記基板２に設けた内側ガイド部５および外側ガイド部１２の内面とが略摺動可能に接するように配してある。この場合、軽く当接していてもよいが、髪の毛などの異物が前記空室（２ａ）内に侵入する隙間が生じないように構成してある。
【００２０】
このガイド袖部２４ａ、２４ｂの両端は、それぞれ揺動アーム２０が左右に揺動した際、左右いずれのガイド袖部の端部が開口部９、９から露出することなく内側ガイド面部５および外側ガイド面部１２と常に重合している長さに形成してあり、揺動アーム２０が左右いずれの方向に最大に揺動しても、開口部９に隙間が生じないように構成してある。なお、このガイド袖部２４ａ、２４ｂに弾力性を具有させて前記内側ガイド部５および外側ガイド部１２の内面を摺動する際に可撓させて摩擦抵抗を小さくできるようにしてもよいものである。
【００２１】
対をなす揺動アーム２０を互いに中央方向に付勢するばね３０は、中央を揺動アーム２０の軸孔２２の周囲に設けた円形状のばね収容部２３に嵌合し、該ばねの一端を基板２の壁部１１の上面に設けたばね止部１６に係止させ、他端を胴部２１の一側に前記ばね収容部２３に連続して設けた直線状のばね溝２３ａ内、または、該胴部の一側表面に設けた突起２３ｄなどに係止させて中央方向に付勢させるようにしてある。この場合、胴部２１及びばねを収容する空室２ａの高さは多少高くなる。２３ｂはばね溝２３ａの他側に位置して前記ばね収容部に収容したばねの他端側を収容する溝である。
【００２２】
揺動アーム２０をばね３０でそれぞれ中央方向に付勢させることにより、ランドセル５０を背負ったり降ろしたりする場合や、登下校時の歩行中に背負ったランドセル５０が不安定になるのを防止している。ばね３０は、いわゆる公知のばねを使用し、例えば、中心部をループ状に形成した捩じりばねや、Ｕ字状に形成した板ばねを使用しても良い。
【００２３】
前記吊下環３２は、不使用時のランドセルを任意フック（図示せず）に吊下げる場合に使用するもので、板状に形成した金属片３３の一端に吊下環３２の下端を巻き込んで枢動可能に軸支し、金属片３３を前記仕切壁部３の支持部６の表面に設けた孔３４にねじまたは鋲４２などで取付けてある。さらに、図６に矢印で示すように、該吊下環３２は前記連結部２５を支点にして下方に回動させて折り畳めるようにし、上方に突出させないようにできるため、邪魔にならないようにして使用することができる。
【００２４】
１８は薄手の合成樹脂材で形成したカバー板で、図２、６に示すごとく、前記基板２の表面を覆って、該基板内に空室２ａを形成し、該基板上に設けた空室２ａ内に収容した揺動アーム２０の誤作動防止を図っている。
【００２５】
図７に示すごとく、背環１の表面に取付ける化粧板３７は、該化粧板の中央と左右両側に前記基板２のビス孔１５と合致する位置に孔４０を設け、正面中央に仕切壁３の正面の支持部６を覆う突出部３８に前記支持部６に軸支した吊下環３２を手前方向に回動させた際、該吊下環の両側軸部が挿通できる溝部３９を形成し、背板５１の所定位置に配した基板２の表面側に化粧板３７を介して鋲４２やねじなどで背板５１に固定してある。
【００２６】
以下、本考案の実施形態の作用について説明すると、背負ベルト５３の一端を連結した一対の揺動アーム２０は、ばね３０の作用によって互いに中央寄りに位置するように設けてあり、学童がランドセルを背負うために背負ベルトに腕を通すときに加わる力で両背負ベルトの間隔を広げることができるように構成してある。
【００２７】
基板２の仕切壁３に設けた内側ガイド面部５と、壁部１１の一端に設けた外側ガイド面部１２と、揺動アーム２０の胴部２１の両側に一体または別体に設けたガイド袖部２４ａ、２４ｂとを、それぞれ揺動アーム２０が揺動する軌跡と略同一半径に形成し、該ガイド袖部の外側表面と内側ガイド面部５および外側ガイド面部１２の内面とが接するように摺動可能に設けてある。
【００２８】
さらに、基板２に設けた支持筒１４を軸支させた揺動アーム２０が開口部９内を左右方向に揺動したとき、このガイド袖部２４ａ、２４ｂの両端は開口部９から露出することなく、仕切壁３の内側ガイド面部５および壁部の端部に設けてある外側ガイド面部１２から外れることがなく常に当接している長さに形成してある。
【００２９】
揺動アーム２０の左右ガイド袖部２４ａ、２４ｂが、内側ガイド面部５および外側ガイド面部１２の内面と常に略当接しながら摺動して開口部９に隙間が生じないように構成してあるため、ランドセルを背負って歩行中の児童、特に女の子の長い髪の毛が風の影響や走ったときに髪の毛が揺れて前記背環に設けた開口部９に隙間が生じないので髪の毛や洋服の襟の一部が、基板２とカバー板１８との間に設けてある空室２ａ内に侵入して挟まれたりするのを防止することができる。
【００３０】
また、揺動アーム２０の軸孔２２周縁にばねの環回部分を収容するばね収容室２３を設けてあれば、該ばね収容室２３にばね３０を収容したことにより揺動アーム２０の厚さに変化がないため、空室２ａの高さを高くする必要はない。
【図面の簡単な説明】
【００３１】
【図１】図１はランドセルの背板に背環を取付けた使用状態を示す正面図である。
【図２】背環の作動状態を示す正面図である。
【図３】背環のカバー板を外した状態の正面図である。
【図４】基板の正面図である。
【図５】揺動アームの一部破断した正面図である。
【図６】図２のＡ―Ａ断面図である。
【図７】化粧板の正面図である。
【符号の説明】
【００３２】
１      背環
２      基板
３      仕切壁
４      係止部
５      内側ガイド面部
６      支持部
７      ねじ孔
９      開口部
１１    壁部
１２    外側ガイド面部
１４    支持筒
１８    カバー板
２０    揺動アーム
２１    胴部
２２    軸孔
２４ａ  ガイド袖部
２４ｂ  ガイド袖部
２５    連結部
３０    ばね
３２    吊下環
３３    保持板
【図１】
0003120057.tif 000003
【図２】
0003120057.tif 000004
【図３】
0003120057.tif 000005
【図４】
0003120057.tif 000006
【図５】
0003120057.tif 000007
【図６】
0003120057.tif 000008
【図７】
0003120057.tif 000009